(57)【要約】      （修正有）【課題】ブラックシリカが混在されたシート素材を使用することにより、中赤外線による保温性、健康維持、病気予防などの優れた効果を有するブラックシリカを用いたペット用マットを提供する。【解決手段】ブラックシリカを用いたシート素材１１は、天然鉱石であるブラックシリカ原料から鉱害物質が除去され、樹脂材料と混練されたものがシート状に形成されたものであり、ブラックシリカを用いたペット用マット１０は、ブラックシリカを用いたシート素材１１を用いて形成され、ブラックシリカを用いたシート素材１１と表面の生地１２とで構成される。【選択図】図１
0003218582.tif 000002
【実用新案登録請求の範囲】
【請求項１】
ブラックシリカを用いたシート素材を有するブラックシリカを用いたペット用マットであって、
前記ブラックシリカを用いたシート素材は、天然鉱石であるブラックシリカ原料から鉱害物質が除去され、前記鉱害物質が除去された前記ブラックシリカ原料は、樹脂材料と混練され、前記混練された前記ブラックシリカと前記樹脂材料が、シート状になるように形成されたものであり、
表面の生地を有し、
前記ブラックシリカを用いたシート素材と前記表面の生地で形成されていることを特徴とするブラックシリカを用いたペット用マット。
【請求項２】
前記表面の生地は、ポリエステル系であり、
中赤外線による保温性、健康維持、病気予防を有することを特徴とする請求項１に記載のブラックシリカを用いたペット用マット。
【考案の詳細な説明】
【技術分野】
【０００１】
本考案は、ブラックシリカを用いたペット用マットに関する。
【背景技術】
【０００２】
犬や猫などのペットは、長時間、同じ場所で横臥していることが多く、このようなペットの居場所を快適な空間とするためにペット用マットが普及している。
【考案の概要】
【考案が解決しようとする課題】
【０００３】
従来のペット用のマットは、上記のとおりペットが長時間、同じ場所で横臥し、寝そべったり寛いだりするためのものであり、健康維持、病気予防などの効果を有するものが求められていた。
【０００４】
本考案は、こうした点に鑑みてなされたものであり、ブラックシリカが混在されたシート素材を使用することにより、中赤外線による保温性、健康維持、病気予防を有するブラックシリカを用いたペット用マットを提供することである。
【課題を解決するための手段】
【０００５】
上記課題を解決するために、本考案に係るブラックシリカを用いたペット用マットは、ブラックシリカを用いたシート素材を有するものであって、前記ブラックシリカを用いたシート素材は、天然鉱石であるブラックシリカ原料から鉱害物質が除去され、前記鉱害物質が除去された前記ブラックシリカ原料は、樹脂材料と混練され、前記混練された前記ブラックシリカと前記樹脂材料が、シート状になるように形成されたものであり、表面の生地を有し、前記ブラックシリカを用いたシート素材と前記表面の生地で形成されていることを特徴とする。また、本考案に係るブラックシリカを用いたペット用マットは、前記表面の生地がポリエステル系であることが好ましく、中赤外線による保温性、健康維持、病気予防を有することを特徴とする。
【考案の効果】
【０００６】
本考案によれば、ブラックシリカが混在されたシート素材を使用することにより、中赤外線による保温性、健康維持、病気予防を有するブラックシリカを用いたペット用マットを提供することができる。また、本考案は、電気を一切使う必要がなく、ペットが寝ているときに安眠を確保でき、毛細血管が活性化し血流が改善することにより、自己治癒力が高まり体調も回復し、健康の維持、病気の予防などの顕著な効果が期待できるものである。
【図面の簡単な説明】
【０００７】
【図１】実施形態のブラックシリカを用いたペット用マットの一例を示す模式図である。
【図２】実用新案のブラックシリカを用いたペット用マットの一例を示す参考図である。
【考案を実施するための形態】
【０００８】
以下、本考案のブラックシリカを用いたペット用マット１０について説明する。図１（ａ）は、ブラックシリカを用いたペット用マット１０を斜めから見た模式図であり、図１（ｂ）は、図１（ａ）のＡ−Ａ断面図である。また、図２（ａ）は、ブラックシリカを用いたペット用マット１０の一例を示す参考図であり、図２（ｂ）は、ブラックシリカを用いたペット用マット１０の使用の一例を示す参考図である。
【０００９】
実施形態のブラックシリカを用いたペット用マット１０に使用するシート素材１１は、繊維製品に用いる素材として形成されたブラックシリカを用いて形成されたシート素材である。ブラックシリカを用いたシート素材１１は、例えば、天然鉱石であるブラックシリカ原料から鉱害物質を除去し、鉱害物質が除去されたブラックシリカ原料は、樹脂材料と混練される。上記のブラックシリカと樹脂材料が混練されたものが、シート状になるように形成されることで、ブラックシリカを用いたシート素材１１が形成される。
【００１０】
上記の鉱害物質の除去は、一例として、ブラックシリカ原料に含まれる不純物を除去することであり、このように不純物が除去されたブラックシリカ原料を粉砕し、粉砕されたこのブラックシリカ原料が、樹脂材料と混練される。このようにして形成されたブラックシリカを用いたシート素材１１は、優れた保温性、血流改善などの顕著な効果を有するものである。
【００１１】
ブラックシリカを用いたペット用マット１０は、上記のブラックシリカを用いたシート素材１１が混在されているものであり、ブラックシリカを用いたペット用マット１０は、表面の生地１２を用いている。表面の生地１２は、ポリエステル系が望ましいが、これに限定されず適宜最適な生地を選択すればよい。
【００１２】
このような構成を有するブラックシリカを用いたペット用マット１０は、ブラックシリカを用いたシート素材１１が、表面の生地１２と重ね合わせて形成されている。このようなブラックシリカを用いたペット用マット１０は、中赤外線による保温性、毛細血管拡張促進及び血行促進を有し、ペットに対して保温性、健康維持、病気予防などの優れた効果を奏するものである。
【００１３】
本考案のブラックシリカを用いたペット用マット１０は、上記のとおりブラックシリカ原料を特殊加工したブラックシリカを用いたシート素材１１を用いてペット用のマットとして具現化したものである。
【００１４】
すなわち、本考案は、天然鉱石であるブラックシリカ原料に着目し、開発したブラックシリカを用いたペット用のマットであり、人用のマットと同様に、犬、猫などのペットに対して中赤外線による保温、血流促進などの効果に加え、細胞の活性化、病気の予防・治癒などの効果も期待できるものである。
【００１５】
なお、図２（ａ）に示すブラックシリカを用いたペット用マット１０は、サイズが６００ｍｍＸ４５０ｍｍであり、芯材は、厚さ３ｍｍのブラックシリカを用いたシート素材１１であり、表面の生地１２を有している。また、ブラックシリカを用いたペット用マット１０の形状としては、四方が丸角で表面に犬の足跡のデザインを施してある。このようなブラックシリカを用いたペット用マット１０は一例であり、適宜最適なものにすればよい。
【００１６】
以上、本考案の有する特徴及び優れた点を上記実施形態に記載したが、本考案は、本願の実用新案請求の範囲で使用されている言葉を広く一般的な意味に拡張して実施することができる。
【００１７】
また、本考案の上記のブラックシリカを用いたペット用マットは、大きさ、形状、素材の種類、厚さ、重さなどについては多様な実施形態が可能であり、それらについて本実施形態と異なる形態による実施は、本考案の技術的範囲に含まれる。
【符号の説明】
【００１８】
１０    ブラックシリカを用いたペット用マット
１１    ブラックシリカを用いたシート素材
１２    生地
【図１】
0003218582.tif 000003
【図２】
0003218582.tif 000004